(57)【要約】【課題】自動券売機を利用して有料乗車券を購入した上で駅構内に入場して電車等を利用する交通機関において、イベント入場券を有する利用者へ交通機関の案内とサービスを提供することにより、イベントの集客と共に、交通機関の利用頻度を高めることができる自動券売機、及び自動改札装置を提供する。【解決手段】この自動券売機制御部１は、額面金額、残額、発行日時、乗車区間等の所定内容の磁気データを書込んで乗車券を作成して発券処理する発券処理ユニット２と、投入された硬貨、紙幣等の金銭を検銭し、必要に応じて釣銭を排出する金銭処理ユニット３と、ＣＰＵ等からなり全体の制御を司る制御部４と、図示しない表示部の表示内容を駆動制御する表示制御部５と、予め購入した施設入場券に記録された情報を読み取る施設入場券読み取りユニット６と、駅制御装置８と交信するための通信制御部７から構成されている。【選択図】      図１
2004213556.tif 000002
【特許請求の範囲】
【請求項１】
有料にて利用者を運搬する交通機関の駅に設置され、所定の乗車券の額面料金を満たす金銭が投入され且つ前記額面料金に該当する料金釦が押された場合に前記乗車券を発行する自動券売機において、
所定の施設へ入場するための入場券情報と該施設に行くために下車する交通機関の最寄り駅情報とを記録した施設入場券の情報を読み取る情報読み取り手段と、入場駅から前記最寄り駅までの片道利用若しくは往復利用を選択する片道・往復選択手段と、所定の条件が揃った場合に乗車運賃を割り引く割引手段と、を備えたことを特徴とする自動券売機。
【請求項２】
有料にて利用者を運搬する交通機関の駅に設置され、所定の乗車券の額面料金を満たす金銭が投入され且つ前記額面料金に該当する料金釦が押された場合に前記乗車券を発行する自動券売機において、
所定の施設へ入場するための入場券情報を入力する情報入力手段と、該施設に行くために下車する交通機関の最寄り駅情報を検索する最寄り駅情報検索手段と、前記入場券情報及び最寄り駅情報を記録した施設入場券を発行する施設入場券発行手段と、前記施設入場券に記録されている情報を読み取る情報読み取り手段と、入場駅から前記最寄り駅までの片道若しくは往復を選択する片道・往復選択手段と、所定の条件が揃った場合に乗車運賃を割り引く割引手段と、を備えたことを特徴とする自動券売機。
【請求項３】
前記施設入場券が前記自動券売機に投入されると、前記情報読み取り手段により前記施設入場券に記録された前記入場券情報及び最寄り駅情報を読み取り、前記片道・往復選択手段により往復が選択された場合、前記割引手段により前記最寄り駅までの正規の往復料金から所定の金額を割り引いて前記乗車券を発売することを特徴とする請求項１又は２に記載の自動券売機。
【請求項４】
前記片道・往復選択手段により片道利用が選択された場合、前記最寄り駅までの正規の片道料金により前記乗車券を発売することを特徴とする請求項１又は２に記載の自動券売機。
【請求項５】
前記情報読み取り手段により前記施設入場券に記録された前記入場券情報及び最寄り駅情報を読み取り、前記入場券情報が割引の対象になっている場合に限り、前記最寄り駅までの正規の往復料金から所定の金額を割り引いて前記乗車券を発売することを特徴とする請求項１または２に記載の自動券売機。
【請求項６】
ＩＣカードに記録されている情報を読み取る情報読み取り手段と、所定の施設へ入場するための入場券情報を入力する情報入力手段と、該情報入力手段により入力された入場券情報と前記施設に行くために下車する交通機関の最寄り駅情報とを記録する情報記録手段を備え、
前記情報読み取り手段により読み取られたＩＣカードの金額情報が所定の金額以上である場合、前記情報入力手段により入場券情報が入力されることにより、前記入場券情報に該当する最寄り駅情報を前記情報記録手段により前記ＩＣカードに記録することを特徴とする自動券売機。
【請求項７】
前記ＩＣカードに記録されている情報を読み取る情報読み取り手段と、入場駅と前記最寄り駅間を往復したか否かについての情報を記録する情報記録手段と、所定の条件が揃った場合に乗車運賃を割り引く割引手段と、を備えたことを特徴とする自動改札装置。
【請求項８】
前記ＩＣカードが前記自動改札装置にかざされると、前記情報読み取り手段により前記ＩＣカードに記録された情報を読み取り、入場駅と前記最寄り駅間を往復したことを検知した場合、前記割引手段により前記最寄り駅までの正規の往復料金から所定の金額を割り引いた金額を前記ＩＣカードから減算して記録することを特徴とする請求項７に記載の自動改札装置。
【発明の詳細な説明】
【０００１】
【発明の属する技術分野】
本発明は、自動券売機及び自動改札装置の改良に関し、特に所定の施設入場券を所有する利用者が、その施設の最寄り駅までの乗車券を購入する際の利便を図るようにした自動券売機及び自動改札装置に関するものである。
【０００２】
【従来の技術】
鉄道をはじめとしたそれに類する交通機関の自動券売機においては、一般にその交通機関の利用者が、乗車券を発券する際に現金またはカードを券売機に投入して目的駅に対応する料金ボタンを押下することで、発券が行なわれていた。しかしながら、このような従来の券売システムでは、利用者が目的とする場所、例えばテーマパークやイベントが開催される場所等に行こうとする場合、予め当該目的地に近い最寄り駅を調べるなどして確認しておき、最寄り駅に行くための交通機関を利用する際に、入場した駅で最寄り駅までの切符を購入しなければならず、切符の購入前に最寄り駅の確認作業が必要となり、不便であった。
このような問題を解決するために特開平８−１６１５３７号公報には、イベント会場等の最寄り駅までの乗車券を購入する際に、予め購入しておいたイベントチケットを投入すると、その時点で開催されているイベントの開催地までの切符を自動的に発券できるようにした券売機について開示されている。それによると、イベントチケットが投入されると、そのイベントチケットに記憶された情報やその券面から、そのイベントチケットに対応したイベントの名称、その開催予定日時、その開催地の最寄りの駅名、及びその駅までの運賃情報を記憶部から読み出して、表示部に少なくともその運賃情報を表示するとともに、その運賃に該当する金額の乗車券を発券するとしている。
【特許文献１】特開平８−１６１５３７号公報
【０００３】
【発明が解決しようとする課題】
特許文献１は、イベントチケットに記憶されたイベントの開催地情報から最寄り駅を券売機の記憶部から読み出して乗車券を発券するものである。しかしながら、イベントチケットには最寄り駅の情報は記録されていないので、券売機の記憶部に予めそれらの情報を記録しておかなければならず、また、そのためのメモリも必要となる。
また、イベントと運賃との関連性は特になく、例えば、イベント参加者が乗車券を買った場合に、何らかのサービスを与える等の発想はなく発展性に乏しいシステムである。
本発明は上記に鑑みてなされたものであり、自動券売機を利用して有料乗車券を購入した上で駅構内に入場して電車等を利用する交通機関において、イベント入場券を有する利用者へ交通機関の案内とサービスを提供することにより、イベントの集客効率を高め、交通機関の利用頻度をも高めることができる自動券売機、及び自動改札装置を提供することを目的とする。
【０００４】
【課題を解決するための手段】
本発明はかかる課題を解決するために、請求項１は、有料にて利用者を運搬する交通機関の駅に設置され、所定の乗車券の額面料金を満たす金銭が投入され且つ前記額面料金に該当する料金釦が押された場合に前記乗車券を発行する自動券売機において、所定の施設へ入場するための入場券情報と該施設に行くために下車する交通機関の最寄り駅情報とを記録した施設入場券の情報を読み取る情報読み取り手段と、入場駅から前記最寄り駅までの片道利用若しくは往復利用を選択する片道・往復選択手段と、所定の条件が揃った場合に乗車運賃を割り引く割引手段と、を備えたことを特徴とする。
イベント会場、テーマパーク等の、所定の施設へ入場するための入場券情報と該施設に行くために下車する交通機関の最寄り駅情報とを記録した施設入場券は、予めプレイガイドやその他の発売所で発売される。本発明の券売機は従来の機能に加えて、その施設入場券に記録されている情報を読み取る情報読み取り手段と、割引サービスの条件を設定するための片道・往復選択手段と、割引の条件が整った場合に料金を割り引く割引手段を備えている。
かかる発明によれば、従来の機能に加えて、情報読み取り手段、片道・往復選択手段及び割引手段を備えたので、施設入場券と乗車券をリンクして利用者のサービスを向上することができる。
請求項２は、有料にて利用者を運搬する交通機関の駅に設置され、所定の乗車券の額面料金を満たす金銭が投入され且つ前記額面料金に該当する料金釦が押された場合に前記乗車券を発行する自動券売機において、所定の施設へ入場するための入場券情報を入力する情報入力手段と、該施設に行くために下車する交通機関の最寄り駅情報を検索する最寄り駅情報検索手段と、前記入場券情報及び最寄り駅情報を記録した施設入場券を発行する施設入場券発行手段と、前記施設入場券に記録されている情報を読み取る情報読み取り手段と、入場駅から前記最寄り駅までの片道若しくは往復を選択する片道・往復選択手段と、所定の条件が揃った場合に乗車運賃を割り引く割引手段と、を備えたことを特徴とする。
請求項１の券売機には、施設入場券を発行する機能がないため、施設入場券は、予めプレイガイドやその他の発売所で購入する必要があった。そこで本発明では、券売機に施設入場券を発行する機能を同時に備えるものである。そのためには、更に所定の施設へ入場するための入場券情報を入力する情報入力手段と、この施設に行くために下車する交通機関の最寄り駅情報を検索する最寄り駅情報検索手段と、入場券情報及び最寄り駅情報を記録した施設入場券を発行する施設入場券発行手段とを備える。
かかる発明によれば、更に情報入力手段、最寄り駅情報検索手段、及び施設入場券発行手段を備えたので、券売機から施設入場券を購入することができると共に、その場で最寄り駅までの乗車券も購入でき、利用者の利便性を高めることができる。
【０００５】
請求項３は、前記施設入場券が前記自動券売機に投入されると、前記情報読み取り手段により前記施設入場券に記録された前記入場券情報及び最寄り駅情報を読み取り、前記片道・往復選択手段により往復が選択された場合、前記割引手段により前記最寄り駅までの正規の往復料金から所定の金額を割り引いて前記乗車券を発売することを特徴とする。
予め購入した施設入場券若しくは券売機により購入した施設入場券を券売機に投入すると、その施設入場券の情報を読み取り、券売機の表示部に片道利用か往復利用かを選択する釦を表示し、往復利用の場合に往復運賃を所定の割合だけ割り引くサービスを提供する。
かかる発明によれば、往復の場合に往復運賃を所定の割合だけ割り引くので、施設入場券を購入した利用者が往復乗車券を同時に購入する確率が高くなり、売上を向上することができる。
請求項４は、前記片道・往復選択手段により片道利用が選択された場合、前記最寄り駅までの正規の片道料金により前記乗車券を発売することを特徴とする。乗車券の割引の方法はいろいろあるが、全てに割引を適用するよりも、差別化したほうが効果的である。例えば、片道利用と往復利用の場合は往復利用のみに割引を適用して、片道は適用しない。
かかる発明によれば、運賃の割引を往復のみに適用するので、差別化を明確化することができ、往復乗車券を購入する確率を高くすることができる。
【０００６】
請求項５は、前記情報読み取り手段により前記施設入場券に記録された前記入場券情報及び最寄り駅情報を読み取り、前記入場券情報が割引の対象になっている場合に限り、前記最寄り駅までの正規の往復料金から所定の金額を割り引いて前記乗車券を発売することを特徴とする。
イベントの種類により運賃を割り引く効果が高い場合と、そうでない場合がある。例えば、交通機関とイベント会場の経営主体が同じである場合等においては、両方の集客を目的として交通機関の割引を行うのは大きな効果がある。そこで本発明では、入場券情報が割引の対象になっている場合に限り、割り引くものである。
かかる発明によれば、入場券情報が割引の対象になっている場合に限り、運賃を割り引くので、効率的に運用を行うことができる。
請求項６は、ＩＣカードに記録されている情報を読み取る情報読み取り手段と、所定の施設へ入場するための入場券情報を入力する情報入力手段と、該情報入力手段により入力された入場券情報と前記施設に行くために下車する交通機関の最寄り駅情報とを記録する情報記録手段を備え、前記情報読み取り手段により読み取られたＩＣカードの金額情報が所定の金額以上である場合、前記情報入力手段により入場券情報が入力されることにより、前記入場券情報に該当する最寄り駅情報を前記情報記録手段により前記ＩＣカードに記録することを特徴とする。ＩＣカードは、リーダライタとのやり取りを行うＩＣが埋め込まれ、その内部に金額等の情報を記憶するメモリが内蔵されている。従って、予め所定の金額をメモリにチャージしておけば、その金額の範囲内で施設入場券や乗車券を購入することができる。そして、使用する度にチャージした金額から減算していく。本発明は、このようなＩＣカードを使用して施設入場券と乗車券を購入し、更にメモリに最寄り駅情報等を記憶して前記施設入場券と同じ機能を果すものである。かかる発明によれば、券売機に情報を読み取る情報読み取り手段、入場券情報を入力する情報入力手段、及び最寄り駅情報とを記録する情報記録手段を備えるので、入場券情報と最寄り駅情報をＩＣカードに記憶することができる。
【０００７】
請求項７は、前記ＩＣカードに記録されている情報を読み取る情報読み取り手段と、入場駅と前記最寄り駅間を往復したか否かについての情報を記録する情報記録手段と、所定の条件が揃った場合に乗車運賃を割り引く割引手段と、を備えたことを特徴とする。
また、ＩＣカードにより入出場する自動改札装置の場合、ＩＣカードがかざされたときにＩＣカード上の情報を読み取ったり、ＩＣカードに情報を記録するリーダライタの他に、本発明では条件が揃った場合に乗車運賃を割り引く割引手段を備えたことを特徴とする。
かかる発明によれば、自動改札装置に本発明の券売機で施設入場券を購入した利用者のＩＣカードがかざされた場合、そのＩＣカードに記録された情報が所定の条件が揃った場合に自動的に残金から割引乗車料金が減額されるので、煩わしい操作を必要とせず利用者の利便性を更に高めることができる。
請求項８は、前記ＩＣカードが前記自動改札装置にかざされると、前記情報読み取り手段により前記ＩＣカードに記録された情報を読み取り、入場駅と前記最寄り駅間を往復したことを検知した場合、前記割引手段により前記最寄り駅までの正規の往復料金から所定の金額を割り引いた金額を前記ＩＣカードから減算して記録することを特徴とする。
本発明の自動改札装置は、ＩＣカードに入場駅から入場した記録と、最寄駅で出場した記録がその都度記録され、イベント会場から帰宅する同じ利用者が今度は最寄駅から入場して入場駅から出場すると同じルートを往復したことになり、その結果、往復割引に該当する利用者であることを判断することができる。
かかる発明によれば、ＩＣカードに記録された情報から往復したことを検知すると往復料金を割り引くので、ＩＣカードにより施設入場券を購入した利用者が同じ路線を往復する確率が高くなり、売上を向上することができる。
【０００８】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態に係る自動券売機制御部の概略構成図である。この自動券売機制御部１は、額面金額、残額、発行日時、乗車区間等の所定内容の磁気データを書込んで乗車券を作成して発券処理する発券処理ユニット２と、投入された硬貨、紙幣等の金銭を検銭し、必要に応じて釣銭を排出する金銭処理ユニット３と、ＣＰＵ等からなり全体の制御を司る制御部４と、図示しない表示部の表示内容を駆動制御する表示制御部５と、予め購入した施設入場券に記録された情報を読み取る施設入場券読み取りユニット６と、駅制御装置８と交信するための通信制御部７から構成されている。
次に、前記構成からなる自動券売機制御部１の概略動作について、図を参照して説明する。利用者は図示しない自動券売機本体の硬貨、紙幣又はカード挿入口から硬貨、紙幣又はカードを挿入する。すると、金銭処理ユニット３は金銭を検銭し、その情報を制御部４に送る。制御部４は、表示制御部５を介してその金額に応じた金額ボタンをタッチパネル等の表示部に表示する。利用者が所望の金額のボタンを押すと、その情報は表示制御部５から制御部４に伝わり、計算処理されて発券処理ユニット２に対して乗車券に書き込むデータを送る。発券処理ユニット２はそのデータに基づいて乗車券を作成する。このとき、釣銭が有れば金銭処理ユニット３を介して釣銭を排出する。また、通信制御部７を介して図示しない駅制御装置８にこれらのデータが送信される。
本発明は更に、施設入場券読み取りユニット６を備え、予めプレイガイド等で購入した施設入場券（イベント会場入場券）が投入された場合、その施設入場券に記録されたイベント会場が存在する最寄り駅の情報を読み取り、その情報を制御部４に送る。制御部４は表示制御部５を介してその金額に応じた金額ボタンをタッチパネル等の表示部に表示する。利用者は表示された金額を投入して、ボタンを押すことにより発券処理ユニット２から最寄り駅までの乗車券を手に入れることができる（詳細は後述する）。
【０００９】
図２は、本発明の実施形態に係る自動券売システムの構成図である。このシステムは、大きく分けて３つの部分で構成される。つまり、図１の自動券売機制御部１により制御される自動券売機１００と、信号線７９により接続された自動券売機１００からのデータの集計と制御、並びに信号線８１により接続された改札装置８２からの乗車券情報の収集と制御を司る駅制御装置８０と、信号線８１により駅制御装置８０と接続され乗車券若しくはＩＣカードの記録データを読み取って入場及び出場を判断する改札装置８２と、を備える。更に自動券売機１００は、投入金額に応じた金額ボタンと後述する施設入場券情報等を表示する表示部２０と、利用者が機械のトラブルあるいは使用方法がわからない時に、駅員を呼び出す呼出しボタン７０と、投入した料金を返却してもらうために操作する取り消しボタン７１と、プリペードカード、ＩＣカード及び施設入場券等を適用する（挿入、或いはかざす）カード挿入口（カード読取り・書き込み部）７３と、金額等の所定内容の磁気データの書込みが行われた乗車券を排出する発券口７４と、硬貨のつり銭がある場合につり銭を排出するつり銭口７５と、紙幣のつり銭を排出するつり札口７６と、紙幣を挿入する紙幣挿入口７７と、硬貨を挿入する硬貨挿入口７８から構成される。
【００１０】
図３は、本発明の一実施形態に係る自動券売機制御部の概略構成図である。同じ構成要素には同じ参照番号が付されているので、重複する説明は省略する。図３が図１と異なる点は、施設入場券読み取りユニット６の代わりにＩＣカードＲ／Ｗユニット１６が備えられている点である。このＩＣカードＲ／Ｗユニット１６は、図２のカード挿入口７３にＩＣカードを挿入又はかざすことにより、ＩＣカードに記録されたデータを読み取って施設入場券を購入したり、最寄り駅の情報を記録するものである（詳細は後述する）。尚、制御部４に図１の施設入場券読み取りユニット６と図３のＩＣカードＲ／Ｗユニット１６を同時に接続して制御しても構わない。
【００１１】
図４は本発明の第１の実施形態に係る自動券売機の動作フローチャートであり、予め施設入場券を購入した利用者が本自動券売機により乗車券を購入する動作フローチャートである。尚、施設入場券には少なくともイベントの情報とその会場までの最寄り駅の情報が記録されているものとし、図１と図２を参照して説明する。まず利用者が施設入場券をカード挿入口７３に挿入すると（Ｓ１）、施設入場券読み取りユニット６がそこに記録されている情報を読み取る（Ｓ２）。その情報は制御部４に送られ、制御部４はその券が施設入場券であるか否かを判断し、施設入場券でなければ（Ｓ３でＮＯのルート）券をカード挿入口７３から返却して（Ｓ１１）、Ｓ１に戻る。Ｓ３で施設入場券であれば（Ｓ３でＹＥＳのルート）、制御部４は表示制御部５を介して表示部２０に片道か往復かを選択するボタン表示を行う（Ｓ４）。そして利用者が表示部２０の片道ボタンを押すと（Ｓ５でＮＯのルート）、制御部４は最寄り駅までの片道運賃を計算して（Ｓ１２）計算結果を表示部２０に表示する（Ｓ７）。Ｓ５で利用者が表示部２０の往復ボタンを押すと（Ｓ５でＹＥＳのルート）、制御部４は最寄り駅までの往復割引運賃を計算して（Ｓ６）計算結果を表示部２０に表示する（Ｓ７）。利用者は以上の何れかのボタンを押して表示部２０に表示された金額を紙幣挿入口７７或いは硬貨挿入口７８から所定の金銭を投入すると金銭処理ユニット３は金銭を検銭し、その情報を制御部４に送る。制御部４は表示金額以上投入されたか否かを判断し（Ｓ８）、表示金額に達していないとタイマを起動して（Ｓ１３）所定の時間が経過するとタイムオーバーとして（Ｓ１３でＹＥＳのルート）投入した金銭をつり銭口７５若しくはつり札口７６から返却して（Ｓ１４）、更に施設入場券も返却して（Ｓ１０）終了する。Ｓ８で所定の時間内に表示金額以上が投入されると（Ｓ８でＹＥＳのルート）、片道若しくは往復の乗車券が発券処理ユニット２から発行され（Ｓ９）、更に施設入場券を返却して（Ｓ１０）終了する。
このように、予め購入した施設入場券を券売機１００に投入すると、その施設入場券の情報を読み取り、券売機１００の表示部２０に片道か往復かを選択する釦を表示し、往復の場合に往復運賃を所定の額割り引くサービスを提供する。これにより、施設入場券を購入した利用者が往復乗車券を同時に購入する確率が高くなり、乗車券の売上を向上することができる。
【００１２】
図５は本発明の第２の実施形態に係る自動券売機の動作フローチャートであり、予め施設入場券を購入した利用者が本自動券売機により乗車券を購入する動作フローチャートである。まず利用者が施設入場券等をカード挿入口７３に挿入すると（Ｓ２１）、施設入場券読み取りユニット６がそこに記録されている情報を読み取る（Ｓ２２）。その情報は制御部４に送られ、制御部４はその券が施設入場券であるか否かを判断し、施設入場券でなければ（Ｓ２３でＮＯのルート）券をカード挿入口７３から返却して（Ｓ３１）、Ｓ２１に戻る。Ｓ２３で施設入場券であれば（Ｓ２３でＹＥＳのルート）、制御部４は投入された施設入場券が運賃割引の対象となる入場券かを判断し（Ｓ３５）、割引の対象でなければ（Ｓ３５でＮＯのルート）表示制御部５を介して表示部２０に割引対象外である旨と片道か往復かを選択するボタン表示を行う（Ｓ３６）。そして利用者が表示部２０の片道ボタンを押すと（Ｓ３７でＮＯのルート）、制御部４は最寄り駅までの片道運賃を計算して（Ｓ３２）計算結果を表示部２０に表示する（Ｓ２７）。Ｓ３７で利用者が表示部２０の往復ボタンを押すと（Ｓ３７でＹＥＳのルート）、制御部４は最寄り駅までの往復運賃を計算して（Ｓ３８）計算結果を表示部２０に表示する（Ｓ２７）。Ｓ３５で割引の対象であれば（Ｓ３５でＹＥＳのルート）、表示制御部５を介して表示部２０に片道か往復かを選択するボタン表示を行う（Ｓ２４）。そして利用者が表示部２０の片道ボタンを押すと（Ｓ２５でＮＯのルート）、制御部４は最寄り駅までの片道運賃を計算して（Ｓ３２）計算結果を表示部２０に表示する（Ｓ２７）。Ｓ２５で利用者が表示部２０の往復ボタンを押すと（Ｓ２５でＹＥＳのルート）、制御部４は最寄り駅までの往復割引運賃を計算して（Ｓ２６）計算結果を表示部２０に表示する（Ｓ２７）。利用者は以上の何れかのボタンを押して表示部２０に表示された金額を紙幣挿入口７７或いは硬貨挿入口７８から所定の金銭を投入すると金銭処理ユニット３は金銭を検銭し、その情報を制御部４に送る。制御部４は表示金額以上投入されたか否かを判断し（Ｓ２８）、表示金額に達していないとタイマを起動して（Ｓ３３）所定の時間が経過するとタイムオーバーとして（Ｓ３３でＹＥＳのルート）投入した金銭をつり銭口７５若しくはつり札口７６から返却して（Ｓ３４）更に施設入場券も返却して（Ｓ３０）終了する。Ｓ２８で表示金額以上が投入されると（Ｓ２８でＹＥＳのルート）、片道若しくは往復の乗車券が発券処理ユニット２から発行され（Ｓ２９）、更に施設入場券が返却されて（Ｓ３０）終了する。
このように、イベントの種類により運賃を割り引く効果が高い場合と、そうでない場合がある。例えば、交通機関とイベント会場の経営形態が同じ場合は、両方の集客を目的として交通機関の割引を行うことは大きな効果がある。そこで本発明では、施設入場券が割引の対象になっている場合に限り、乗車料金を割り引くようにすることにより、効率的に運用を行うことができる。
【００１３】
図６は本発明の第３の実施形態に係る自動券売機の動作フローチャートであり、施設入場券を本自動券売機により購入する動作フローチャートである。まず利用者が表示部２０に表示された施設入場券ボタンを押すと（Ｓ４１でＹＥＳのルート）、利用可能な施設入場券の一覧表を表示し、その中から何れかを選択すると、制御部４は押された施設の最寄り駅を図示しないメモリから検索して表示部２０に表示する（Ｓ４２）と共に、その施設入場券の入場料金を表示する（Ｓ４３）。そして、制御部４は入場料金以上投入されたか否かを判断し（Ｓ４４）、表示金額に達していないとタイマを起動して（Ｓ４７）所定の時間が経過するとタイムオーバーとして（Ｓ４７でＹＥＳのルート）投入した金銭をつり銭口７５若しくはつり札口７６から返却して（Ｓ４８）Ｓ４１に戻る。Ｓ４４で表示金額以上が投入されると（Ｓ４４でＹＥＳのルート）、施設入場券に入場券情報と最寄り駅情報を記録し（Ｓ４５）、施設入場券が発券処理ユニット２から発行される（Ｓ４６）。
このように、図４の第１の実施形態の券売機には、施設入場券を発行する機能がないため、施設入場券は、予めプレイガイドやその他の発売所で購入する必要があった。そこで本実施形態では、券売機に施設入場券を発行する機能を同時に備えるものである。そのためには、表示部２０に利用可能な施設入場券の一覧表を表示して選択できるようにし、選択された施設に行くために下車する交通機関の最寄り駅情報を検索する手段と、入場券情報及び最寄り駅情報を記録した施設入場券を発行する手段とを備えることにより、券売機から施設入場券を購入することができると共に、その場で最寄り駅までの乗車券も購入でき、利用者の利便性を高めることができる。
【００１４】
図７は本発明の第４の実施形態に係る自動券売機の動作フローチャートであり、施設入場券をＩＣカードを利用して本自動券売機により購入する動作フローチャートである。図２と図３を参照して説明する。まず利用者がＩＣカードをカード挿入口７３に挿入すると（Ｓ５１）、ＩＣカードＲ／Ｗユニット１６によりＩＣカードに記録されている情報を読み取って制御部４に送る。制御部４はその情報から所定金額以上の残金があるか否かを判断し（Ｓ５２）、残金が所定金額以下の場合（Ｓ５２でＮＯのルート）、ＩＣカードを返却して（Ｓ６１）Ｓ５１に戻る。Ｓ５２で所定金額以上あれば（Ｓ５２でＹＥＳのルート）、現在利用できる施設の一覧表を表示部２０に表示する（Ｓ５３）。利用者はその一覧表を見て希望する施設のボタンを押すと制御部４は押された施設の最寄り駅を検索して表示部２０に表示する（Ｓ５４）。更にその施設への入場料金も併せて表示する（Ｓ５５）。そのとき表示部に施設入場券を購入するか否かのボタンを表示し、制御部４は施設入場券を購入するボタンが押されたか否かを判断し（Ｓ５６）、タイマを起動して（Ｓ６２）所定の時間が経過するとタイムオーバーとして（Ｓ６２でＹＥＳのルート）ＩＣカードを返却して（Ｓ６３）Ｓ５１に戻る。Ｓ５６で施設入場券を購入するボタンを押すと（Ｓ５６でＹＥＳのルート）、制御部４はＩＣカードの残金から施設入場料を減算して（Ｓ５７）、その残金を表示部に表示し（Ｓ５８）、ＩＣカードに入場券情報と最寄り駅情報を記録し（Ｓ５９）、そのＩＣカードを返却する（Ｓ６０）。
このように、ＩＣカードは内部にＩＣカードＲ／Ｗユニット１６とのやり取りを行うＩＣが埋め込まれ、その内部に金額等の情報を記憶するメモリが内蔵されている。従って、予め所定の金額をメモリにチャージしておけば、その金額の範囲内で施設入場券や乗車券を購入することができる。そして、使用する度にチャージした金額から減算していく。本実施形態は、このようなＩＣカードを使用して施設入場券と乗車券を購入し、更にメモリに最寄り駅情報等を記憶して施設入場券と同じ機能を果すものである。
【００１５】
図８は本発明の第５の実施形態に係る自動券売機の動作フローチャートであり、施設入場券情報と最寄り駅情報を記録したＩＣカードを利用して自動改札装置により入出場する動作フローチャートである。図２を参照して説明する。まずＩＣカードが自動改札装置８２のリーダライタにかざされると（Ｓ７１）、リーダライタによりＩＣカードに記録されている情報を読み取って（Ｓ７２）残金が最低乗車料金以上あるか否かを判断し（Ｓ７３）、その結果、最低料金以下の場合は（Ｓ７３でＮＯのルート）、ゲートを閉じて（Ｓ７７）アラーム表示をして（Ｓ７８）、入場を阻止する。Ｓ７３で残金が最低乗車料金以上の場合は（Ｓ７３でＹＥＳのルート）、そのＩＣカードにより入場駅と最寄り駅間を往復したか否かを調べ（Ｓ７４）、片道の場合は（Ｓ７４でＮＯのルート）、初めてＩＣカードで入場したことになるので当該入場駅データをＩＣカードに記録して（Ｓ７９）ゲートを開けて利用者の入場を許可する（Ｓ７６）。Ｓ７４で往復の場合は（Ｓ７４でＹＥＳのルート）、正規の往復料金から所定の料金を割り引いてＩＣカードに記録されている金額から減算して記録し（Ｓ７５）、ゲートを開けて利用者の出場を許可する（Ｓ７６）。
このように、自動改札装置８２に本発明の券売機で施設入場券を購入した利用者のＩＣカードがかざされた場合、そのＩＣカードに記録された情報を自動改札装置８２のリーダライタで読み取り、その情報から入場駅から最寄り駅までを往復したことを検知すると、割引手段により最寄り駅までの正規の往復料金から所定の金額を割り引いて、ＩＣカードに記録されている残金から減算するものである。
以上の説明では自動改札装置８２がＩＣカードから読み込んだデータを解釈して制御するように説明しているが、自動改札装置８２からのデータを駅制御装置８０に送って、駅制御装置８０が乗車料金を計算して自動改札装置８２のリーダライタにより記録する方法でも構わない。
【００１６】
【発明の効果】
以上記載のごとく本発明によれば、請求項１は、従来の機能に加えて、情報読み取り手段、片道・往復選択手段及び割引手段を備えたので、施設入場券と乗車券をリンクして利用者のサービスを向上することができる。
また請求項２は、更に情報入力手段、最寄り駅情報検索手段、及び施設入場券発行手段を備えたので、券売機から施設入場券を購入することができると共に、その場で最寄り駅までの乗車券も購入でき、利用者の利便性を高めることができる。
また請求項３は、往復の場合に往復運賃を所定の割合だけ割り引くので、施設入場券を購入した利用者が往復乗車券を同時に購入する確率が高くなり、売上を向上することができる。
また請求項４は、運賃の割引を往復のみに適用するので、差別化を明確化することができ、往復乗車券を購入する確率を高くすることができる。
また請求項５は、施設入場券情報が割引の対象になっている場合に限り、運賃を割り引くので、効率的に運用を行うことができる。
また請求項６は、券売機に情報を読み取る情報読み取り手段、入場券情報を入力する情報入力手段、及び最寄り駅情報とを記録する情報記録手段を備えるので、入場券情報と最寄り駅情報をＩＣカードに記憶することができる。
また請求項７は、自動改札装置に本発明の券売機で施設入場券を購入した利用者のＩＣカードがかざされた場合、そのＩＣカードに記録された情報が所定の条件が揃った場合に自動的に残金から割引乗車料金が減額されるので、煩わしい操作を必要とせず利用者の利便性を更に高めることができる。
また請求項８は、ＩＣカードに記録された情報から往復したことを検知すると往復料金を割り引くので、ＩＣカードにより施設入場券を購入した利用者が同じ路線を往復する確率が高くなり、売上を向上することができる。
【図面の簡単な説明】
【図１】本発明の実施形態の自動券売機制御部の概略構成図である。
【図２】本発明の実施形態に係る自動券売機システムの構成図である。
【図３】本発明の実施形態に係る自動券売機制御部の概略構成図である。
【図４】本発明の第１の実施形態による予め施設入場券を購入した利用者が本自動券売機により乗車券を購入する動作フローチャートである。
【図５】本発明の第２の実施形態による予め施設入場券を購入した利用者が本自動券売機により乗車券を購入する動作フローチャートである。
【図６】本発明の第３の実施形態による施設入場券を本自動券売機により購入する動作フローチャートである。
【図７】本発明の第４の実施形態による施設入場券をＩＣカードを利用して本自動券売機により購入する動作フローチャートである。
【図８】本発明の第５の実施形態による施設入場券情報と最寄り駅情報を記録したＩＣカードを利用して自動改札装置により入出場する動作フローチャートである。
【符号の説明】
１  自動券売機制御部、２  発券処理ユニット、３  金銭処理ユニット、４  制御部、５  表示制御部、６  施設入場券読み取りユニット、７  通信制御部
【図１】
2004213556.tif 000003
【図２】
2004213556.tif 000004
【図３】
2004213556.tif 000005
【図４】
2004213556.tif 000006
【図５】
2004213556.tif 000007
【図６】
2004213556.tif 000008
【図７】
2004213556.tif 000009
【図８】
2004213556.tif 000010